(57)【要約】【課題】  火災や有毒物質の発生に対する建物の安全性評価や安全設備の作動方法の検討において、コンピュータによるシミュレーションが有用な手段となってきている。近年の大規模な建造物においては、単純な矩形居室の他に複雑な形状の広い空間が混在し、火災による煙や有毒物質、熱が発生すると拡散による濃度分布の評価が容易ではない。すなわち、従来の３次元流体解析技術では計算量が膨大となり、逆に実用的なマクロモデル流体解析技術では複雑な形状に対応できない。【解決手段】  建造物の形状を考慮して詳細にシミュレーションする必要のある部分は３次元解析技術を適用し、詳細なシミュレーションが不要な部分はマクロモデル流体解析技術を適用することで効率的に計算する。火災や有毒物質発生時の防災設備の解析モデルによって、その効果をシミュレーションに反映し、対策をした場合・しなかった場合の他、対策のタイミングなどの効果を定量的に検討することができるようにする。【選択図】図３
2009193551.tif 000002
【特許請求の範囲】
【請求項１】
建造物の火災や有毒物質の発生に対する防災対策の検討において、建造物の形状を考慮して詳細にシミュレーションする必要のある部分は３次元解析技術を適用し、詳細なシミュレーションが不要な部分はマクロモデル流体解析技術を適用することで効率的に計算し、防災設備の解析モデルによってその効果をシミュレーションするプログラム。
【請求項２】
建造物の火災や有毒物質の発生に対する防災対策の検討において、建造物の形状を考慮して詳細にシミュレーションする必要のある部分は３次元解析技術を適用し、詳細なシミュレーションが不要な部分はマクロモデル流体解析技術を適用することで効率的に計算し、防災設備の解析モデルによってその効果をシミュレーションするプログラムを記録したコンピュータ読み取り可能な記録媒体。
【請求項３】
建造物の火災や有毒物質の発生に対する防災対策の検討において、建造物の形状を考慮して詳細にシミュレーションする必要のある部分は３次元解析技術を適用し、詳細なシミュレーションが不要な部分はマクロモデル流体解析技術を適用することで効率的に計算し、防災設備の解析モデルによってその効果をシミュレーションするプログラムを実行するための装置。
【発明の詳細な説明】
【技術分野】
【０００１】本発明は、建造物の火災や有毒物質の発生に対する防災対策の検討支援を目的としたシミュレーション技術を対象とする。ここで述べる方法は、大規模な建造物において、建造物の形状を考慮して詳細にシミュレーションする必要のある部分は３次元流体解析技術を適用し、詳細なシミュレーションが不要な部分はマクロモデル流体解析技術を適用することで効率的に計算し、防災設備の解析モデルによってその効果をシミュレーションする方法である。
【背景技術】
【０００２】  火災や有毒物質の発生に対する建造物の安全性評価や安全設備の作動方法の検討において、コンピュータによる数値シミュレーションが有用な手段となってきている。建造物内の空間を対象とした気流と燃焼および物質拡散のシミュレーション技術には、高精度な３次元流体解析技術と簡易的なマクロモデル流体解析技術がある。【０００３】  ３次元流体解析技術とは、３次元形状を解析モデルとしてとりこむ流体解析の技術であり、対象空間を計算格子に細分割し、物理法則に則った圧力等に関する連立方程式を立てて、多次元連立方程式を数値的に解く方法が確立されている。計算格子の分割数が多いほど空間分布表現の精度は向上するが、計算時間が増加する。建造物内の火災や有毒物質の発生に伴う、煙や有毒物質の拡散をシミュレーションする場合、このような３次元流体解析技術に、火災や有毒物質発生、スプリンクラー等の消火設備及び排気ダクトなどの防災設備を、計算格子に合わせてモデル化した解析モデルを付加することで、現象や諸設備の効果を模擬する。【０００４】  マクロモデル流体解析技術とは、区画領域が接続するような建造物内を対象とした流体解析の技術である。この技術は、建造物内部を表す区画領域を物理量の定義点として区画間の連結と共にモデル化して圧力等に関する連立方程式を立てて解くもので、区画内部の空間的な分布は考慮しないものの、短い処理時間でシミュレーションができる。建造物内の火災や有毒物質の発生に伴う、煙や有毒物質の拡散をシミュレーションする場合は、火災や有毒物質発生、スプリンクラー等の消火設備及び排気ダクトなどの防災設備を、マクロモデルに合わせてモデル化した解析モデルを付加することで、現象や諸設備の効果を模擬する。なお、マクロモデル流体解析技術の応用として、火災解析で煙の有無による物理量の不連続性を表現するために各区画を上下２層に分割する２層ゾーンモデルが用いられている。【０００５】  火災の発生や有毒物質の発生の後の煙や有毒物質の拡散、スプリンクラー等の消火設備及び排気ダクトなどの防災設備の起動による変化をシミュレートするため、３次元流体解析技術・マクロモデル流体解析技術共に計算用の時間刻みを設定して各時点で連立方程式を解いては次の時点に計算を進ませて、設定した終了時間までの計算を行っている。
【非特許文献１】Ｗａｌｔｅｒ  Ｊｏｎｅｓ他著、「ＣＦＡＳＴ  Ｔｅｃｈｎｉｃａｌ  Ｒｅｆｅｒｅｎｃｅ  Ｇｕｉｄｅ」、ＮＩＳＴ（米国標準技術研究所）Ｓｐｅｃｉａｌ  Ｐｕｂｌｉｃａｔｉｏｎ  １０３０、２００４年
【非特許文献２】Ｋｅｖｉｎ  ＭｃＧｒａｔｔａｎ他著、「Ｆｉｒｅ  Ｄｙｎａｍｉｃｓ  Ｓｉｍｕｌａｔｏｒ（Ｖｅｒｓｉｏｎ  ５）Ｔｅｃｈｎｉｃａｌ  Ｒｅｆｅｒｅｎｃｅ  Ｇｕｉｄｅ」、ＮＩＳＴ（米国標準技術研究所）Ｓｐｅｃｉａｌ  Ｐｕｂｌｉｃａｔｉｏｎ  １０１８−５、２００８年
【発明の開示】
【発明が解決しようとする課題】
【０００６】  火災や有毒物質の発生に対する建造物の安全性評価や安全設備の作動方法の検討のために、コンピュータによる数値シミュレーションを行う場合を想定する。その場合、近年の大規模な建造物においては、単純な矩形居室の他に複雑な形状の広い空間が混在し、火災による煙や有毒物質、熱が発生すると拡散による濃度分布の評価が困難である。すなわち、従来の３次元流体解析技術では計算量が膨大となり、逆に計算量の少ないマクロモデル流体解析技術では複雑な形状に対応できない。
【課題を解決するための手段】
【０００７】  空間に関する表現精度を高めることができる３次元流体解析技術と、計算量が少ないマクロモデル流体解析技術の両方の長所を活かすため、両者を時間刻みごとに連携させて用いる。すなわち、３次元流体解析モデルとマクロモデルの間で、時間刻みごとに境界面を通じてデータを相互参照する。【０００８】  ３次元流体解析モデルは境界面に複数の計算格子が面しているため、計算格子ごとに計算される物理量を平均化してマクロモデルに受け渡す。【０００９】  マクロモデルで２層ゾーンモデルを適用する場合は、煙高さによっては境界面に２層が面する場合があるため、３次元流体解析モデルの境界面でも層境界を設定して物理量を受け渡す。
【発明の効果】
【００１０】  大規模な建造物において、建造物の形状を考慮して詳細にシミュレーションする必要のある部分は３次元流体解析技術を適用し、詳細なシミュレーションが不要な部分はマクロモデル流体解析技術を適用することで、必要な精度を保ちつつ効率的に計算できるようになる。これにより、既存の防災設備の解析モデルを活かして諸設備の効果をシミュレーションすることができる。
【発明を実施するための最良の形態】
【００１１】  ３次元流体解析技術のシミュレーションプログラムとマクロモデル流体解析技術のシミュレーションプログラムにデータ送受信のサブルーチンプログラムを組み込む。これにより、３次元流体解析技術のシミュレーションプログラムを起動するとマクロモデル流体解析技術のシミュレーションプログラムを連動するようになり、両プログラムが時間刻み単位で連携して計算が進むようになる。【００１２】  以下に、３次元流体解析技術のシミュレーションプログラムとマクロモデル流体解析技術のシミュレーションプログラムに組み込むプログラム処理の内容を、図１〜３にそって説明する。【００１３】  ３次元モデルとマクロモデルの間では境界面を通じてデータを相互参照するが、その接続面付近の模式図を図１に示す。図１において１が接続面、２が３次元モデルの計算格子、３がマクロモデルの計算区画を表す。各モデルの中で境界条件は、それぞれの圧力境界として設定し、３次元モデル領域からマクロモデル領域へ流れが生じる場合は３次元モデルで計算した温度・濃度といった物理量をマクロモデルで参照し、マクロモデル領域から３次元モデル領域へ流れが生じる場合はマクロモデルで計算した温度・濃度といった物理量を３次元モデルで参照する。【００１４】  マクロモデルで２層ゾーンモデルを適用する場合は、時間で変化する層境界高さを想定してその上下で計算物理量が異なるため、これに接続する３次元モデルの境界面でも層境界を設定する必要がある。層境界面は、煙濃度の不連続面を表現するものであり、煙に対応するガス（ＣＯ２、ＣＯ）の濃度の絶対値で判定する。【００１５】  図２に接続面に面する３次元モデルの計算格子の例を示す。計算格子ごとに計算されるガス濃度Ｃを判定しきい値（Ｃｃｒｉｔ）と比較し、計算格子を高濃度（図中の「Ｃ高」）と低濃度（図中の「Ｃ低」）に分類すると、流れの乱れもあって、一般的には高濃度と低濃度は混ざって分布する。図２において、４は「Ｃ低」の最高位置、５は「Ｃ高」の最低位置を示す。この間の計算格子の濃度に基づいて、次式により煙高さを計算する。
2009193551.tif 000003
ここで、
ｚ１：「Ｃ高」の最低位置＝Ｍｉｎ（ｚｉ），（Ｃｉ＞Ｃｃｒｉｔ）
2009193551.tif 000004
である。【００１６】  ３次元解析モデルからマクロモデルへの境界面データ送信においては、３次元モデルの計算格子を煙高さに基づいて上層または下層に分類し、各層別に計算格子の境界面積で重みづけ平均してから送る。すなわち、上層に属する計算格子に関して、境界面積の重みづけにより平均して上層値とし、下層に属する計算格子に関して、境界面積の重みづけにより平均して下層値とする。上層に属する計算格子がない場合は下層の値、下層に属する計算格子がない場合は上層の値を送る。【００１７】  マクロモデルから３次元モデルへの境界面データ送信においては、３次元モデルの計算格子を上層または下層に分類して送り先とする。上層または下層への分類は、各計算格子の中心高さが煙高さより高いか低いかによって分類する。【００１８】  ３次元解析モデルとマクロモデルを連携する処理の流れを図３に示す。それぞれが時間刻みの中の計算をしては情報を他方に送り、受け取った側が計算を進めることで、交互に時間刻みを進めていく。【００１９】  火災や有毒物質発生、スプリンクラー等の消火設備、排気ダクトなどの防災設備をモデル化した解析モデルは、３次元流体解析技術とマクロモデル流体解析技術でそれぞれ固有のものであるが、両者を連携するさいにはそれぞれの解析モデルを各解析技術プログラムに組み込んだまま活用することで、対象現象や諸設備の効果をシミュレーションに反映する。
【図面の簡単な説明】
【００２０】
【図１】本発明で連結するプログラムの連結面の模式図である。
【図２】本発明の連結面における層境界面設定方法の模式図である。
【図３】本発明の処理方法のフローチャートである。
【符号の説明】
【００２１】１  接続面
２  ３次元モデルの計算格子
３  マクロモデルの計算区画
４  「Ｃ低」の最高位置
５  「Ｃ高」の最低位置
【図１】
2009193551.tif 000005
【図２】
2009193551.tif 000006
【図３】
2009193551.tif 000007